(57)【要約】【課題】本発明は、≦１９３ｎｍの波長を有する照明装置のための光学素子（１００）であって、この照明装置は光源（１０２）と、フィールド面（１０８）と、出射瞳（１０６）とを有してなる光学素子に関する。【解決手段】光学素子（１００）は多数のファセットを有し、これらのファセットは、各々のファセットが前記光源（１０２）から光を受け取り、光をフィールド面（２４）における割り当てられた離散的な点に導くように設けられており、かような偏向角を有し、離散的な点は、フィールド面（１０８）におけるフィールドが所定の形で照明されるように、選択されており、各々のファセットは、フィールド面（２４）における夫々に割り当てられた離散的な点によって、照明装置の出射瞳（１０６）の割り当てられた領域を照明する。
2006523944.tif 000002
【特許請求の範囲】
【請求項１】
１９３ｎｍ以下の波長を有する照明装置のための光学素子（１００）であって、前記照明装置は、光源（１０２）と、フィールド面（１０８）と、出射瞳（１０６）とを有してなる光学素子において、
この光学素子（１００）は、多数のファセットを有し、これらファセットは、各ファセットが、前記光源（１０２）から光を受け取り、光をフィールド面（２４）における割り当てられた離散的な点に導くよう偏向角を有して設けられており、前記離散的な点は、前記フィールド面（１０８）におけるフィールドが所定の形で照明されるように、選択されていること、および各々のファセットは、前記フィールド面（２４）における夫々に割り当てられた離散的な点によって、前記照明装置の前記出射瞳（１０６）の割り当てられた領域を照明することを特徴とする光学素子（１００）。
【請求項２】
前記多数のファセットは、フィールド点から走査方向における路に沿って結果的に生じる、前記出射瞳（１０６）の積分された照明が、十分に均一であるように、偏向角およびかような大きさを有して、設けられていることを特徴とする請求項１に記載の光学素子（１００）。
【請求項３】
フィールド点から走査方向における任意の路に沿って結果的に生じる、前記出射瞳（１０６）の積分された照明は、好ましくは円形または双極子形または四極子形または環状であることを特徴とする請求項２に記載の光学素子（１００）。
【請求項４】
前記フィールド面（１０８）における前記フィールドは、環状フィールドセグメントであり、前記環状フィールドセグメントの中央における径方向は、前記照明装置の走査方向を定めることを特徴とする請求項１ないし３のいずれか１に記載の光学素子（１００）。
【請求項５】
走査方向に延びている直線上に位置している、前記フィールド面におけるすべての点の、その照明成分の各々の積分によって、前記出射瞳（１０６）の、同一の、積分された部分照明が結果として生じることを特徴とする請求項４に記載の光学素子（１００）。
【請求項６】
前記光学素子（１００）は、多数の光源の像によって作られ、これらの光源の像を前記フィールド面（１０８）に結像させることを特徴とする請求項１ないし５のいずれか１に記載の光学素子（１００）。
【請求項７】
前記光源（１０２）から前記光学素子（１００）への光路は、他の光学素子を有しないことを特徴とする請求項１ないし６のいずれか１に記載の光学素子（１００）。
【請求項８】
前記ファセットの前記偏向角は、集光作用を発生させるように設定されていることを特徴とする請求項１ないし７のいずれか１に記載の光学素子（１００）。
【請求項９】
少なくとも１つのファセットが、光学的な屈折力を有することを特徴とする請求項１ないし７のいずれか１に記載の光学素子（１００）。
【請求項１０】
前記光学素子の少なくとも１つのファセットは、平面ファセットであることを特徴とする請求項１ないし８のいずれか１に記載の光学素子（１００）。
【請求項１１】
光源（１０２）と、フィールド面（１０８）と、光学素子（１００）と、出射瞳（１０６）とを有する、特にＥＵＶリソグラフィのための、１９３ｎｍ以下の波長のための照明装置において、
前記光学素子（１００）は、多数のファセットを有し、これらのファセットは、各々のファセットが前記光源（１０２）から光を受け取り、光をフィールド面（２４）における離散的な点に導くような偏向角を有して設けられており、前記離散的な点は、前記フィールド面（１０８）におけるフィールドが所定の形で照明されるように、選択されていること、および各ファセットは、前記フィールド面（２４）における夫々に割り当てられた離散的な点によって、前記照明装置の前記出射瞳（１０６）の、割り当てられた領域を照明することを特徴とする照明装置。
【請求項１２】
前記多数のファセットは、フィールド点から走査方向における路に沿って結果的に生じる、前記出射瞳（１０６）の積分された照明が、十分に均一であるように偏向角およびかような大きさを有して設けられていることを特徴とする請求項１１に記載の照明装置。
【請求項１３】
フィールド点から走査方向における任意の路に沿って結果的に生じる、前記出射瞳（１０６）の積分された照明は、好ましくは円形または四極子形または環状であることを特徴とする請求項１２に記載の照明装置。
【請求項１４】
前記フィールド面（１０８）における前記フィールドは、環状フィールドセグメントであり、前記環状フィールドセグメントの中央における径方向は、前記照明装置の走査方向を定めることを特徴とする請求項１１ないし１３のいずれか１に記載の照明装置。
【請求項１５】
前記光学素子（１００）は、前記フィールド面（１０８）における前記環状フィールドセグメントを形成することを特徴とする請求項１４に記載の照明装置。
【請求項１６】
前記光学素子（１００）は、多数の光源の像によって作られ、これらの光源の像を前記フィールド面（１０８）に結像させることを特徴とする請求項１１ないし１５のいずれか１に記載の光学素子（１００）。
【請求項１７】
前記光源（１０２）から前記光学素子（１００）への光路は、他の光学素子を有しないことを特徴とする請求項１１ないし１６のいずれか１に記載の照明装置。
【請求項１８】
前記照明装置は、更に、前記フィールド面（１０８）において前記環状フィールドセグメントを形成するためのすれすれ入射形のフィールド鏡（１１０）を有することを特徴とする請求項１１ないし１７のいずれか１に記載の照明装置。
【請求項１９】
前記すれすれ入射形のフィールド鏡（１１０）は、凸面状の形を有することを特徴とする請求項１８に記載の照明装置。
【請求項２０】
前記照明装置は、更に、前記光学要素（１００）を前記出射瞳へ結像させるための結像型の光学素子（１０４）を有することを特徴とする請求項１１ないし１９のいずれか１に記載の照明装置。
【請求項２１】
走査方向に延びている直線上に位置している、前記フィールド面におけるすべての点の、その照明成分の各々の積分のために、前記出射瞳（１０６）の、同一の、積分された部分照明が結果として生じることを特徴とする請求項１１ないし２０のいずれか１に記載の照明装置。
【請求項２２】
前記光学素子は交換可能であり、この結果、照明の種々の形が前記出射瞳（１０６）において形成されることができることを特徴とする請求項１１ないし２１のいずれか１に記載の照明装置。
【請求項２３】
特にＥＵＶリソグラフィのための、１９３ｎｍ以下の波長のための照明装置であって、この照明装置は、光源からまたは光源の像からフィールド面への光路において、ファセットのある只１つの光学素子を有し、この光学素子は、前記光源またはこの光源の像を、前記照明装置のフィールド面へ結像させるのみならず、前記照明装置の瞳も照明することを特徴とする照明装置。
【請求項２４】
特にＥＵＶリソグラフィのための、１９３ｎｍ以下の波長のための照明装置であって、この照明装置は、光源からまたは光源の像からフィールド面への光路において、ファセットのある只１つの光学素子および只１つの他の鏡を有し、前記光学素子は、前記光源を、前記照明装置のフィールド面へ投影するのみならず、照明装置の瞳も照明する照明装置。
【請求項２５】
前記他の鏡は、垂直入射形の鏡であることを特徴とする請求項２４に記載の照明装置。
【請求項２６】
前記垂直入射形の鏡は、集光作用を有することを特徴とする請求項２５に記載の照明装置。
【請求項２７】
前記鏡は、すれすれ入射形の鏡であることを特徴とする請求項２４に記載の照明装置。
【請求項２８】
特にＥＵＶリソグラフィのための、１９３ｎｍ以下の波長のための照明装置であって、只１つの、ファセットのある光学素子および少なくとも１つのすれすれ入射形の鏡を有する照明装置。
【請求項２９】
更に、垂直入射形の鏡を有する請求項２８に記載の照明装置。
【請求項３０】
光源の光または光源の像を受け取るためのコレクタユニットを有し、前記光源の、受け取られた光は、前記只１つの、ファセットのある光学素子を照明する、請求項２８または２９に記載の照明装置。
【請求項３１】
マイクロリソグラフィのための、特にＥＵＶ範囲にある特に１９３ｎｍ以下の波長のための投影露光装置であって、請求項１１ないし３０のいずれか１に記載の照明装置および投影対物レンズ（１１２／２１２）を有する投影露光装置。
【請求項３２】
前記投影対物レンズは、少なくとも６つの鏡を有することを特徴とする、マイクロリソグラフィのための、特にＥＵＶリソグラフィのための、特に１９３ｎｍ以下の波長のための請求項３１に記載の投影露光装置。
【請求項３３】
前記投影対物レンズは、少なくとも８つの鏡を有することを特徴とする請求項３１または３２に記載の投影露光装置。
【請求項３４】
前記照明装置は、前記投影露光装置のフィールド面を照明し、このフィールド面にはマスクが設けられており、前記投影対物レンズは、前記マスクの像を、感光性の支持体基板に投影し、この支持体基板には、感光性の物体が設けられていることを特徴とする請求項３１ないし３３のいずれか１に記載の投影露光装置。
【請求項３５】
マイクロ電子式の構成部材、特に半導体チップを、請求項３１ないし３４のいずれか１に記載の投影露光装置によって製造する方法。
【発明の詳細な説明】
【技術分野】
【０００１】
本発明は、特にＥＵＶリソグラフィ用の、≦１９３ｎｍ（１９３ｎｍ以下）の波長を有する照明装置のための、光学素子に関する。照明装置は、光源、フィールド面および出射瞳を有し、照明装置は多数の多数のファセットを有する。
【０００２】
特に好ましい実施の形態では、本発明は、更に、特にＥＵＶリソグラフィのための、≦１９３ｎｍの波長のための照明装置を用いる。この照明装置は、光学素子が多数のファセットを有し、これらのファセットは、光学素子によってフィールド面におけるフィールドが照明され、かつ出射瞳が所定の形で照明されるような装置を、光学素子上に有することを特徴とする。
【０００３】
電子式の構成部材のための構造体の幅を、特にサブミクロンの範囲で、なお一層減少させることができるためには、マイクロリソグラフィのために用いられる光の波長を減少させる必要がある。１９３ｎｍ以下の波長の場合、例えば、軟Ｘ線を用いたリソグラフィ、いわゆるＥＵＶリソグラフィが考えられる。
【０００４】
ＥＵＶリソグラフィのために適切な照明装置が、出来る限り僅かな反射によって、ＥＵＶリソグラフィのために予め設定されたフィールド、特に環状フィールドセグメントを、均質にすなわち均一に照明することを意図される。更に、各々のフィールド点のための出射瞳が、走査過程後に、所定の充満度（Fuellgrad）σまで照明され、照明装置の出射瞳が後続の対物レンズの入射瞳に位置していることが意図される。
【背景技術】
【０００５】
US 5,339,346からは、ＥＵＶ放射線を用いるリソグラフィ手段のための照明装置が公知である。レクチル面で均等に照明するためにおよび瞳を光で充満するために、US 5,339,346は、集光レンズとして構成されており、対称的に設けられた少なくとも４つの対の鏡ファセットを有するコンデンサを提案する。光源としては、プラズマ光源が用いられる。
【０００６】
US 5,737,137には、プラズマ光源を有し、サブステージ用反射器を有する照明装置が示されている。この照明装置では、球の鏡によって、照明されるマスクまたはレチクルの明るさが達成される。この照明装置はクリティカル照明を有する照明装置である。
【０００７】
US 5,361,292は、プラズマ光源が設けられており、点状のプラズマ光源が、偏心的に設けられた５つの非球面状の鏡を有するコンデンサによって、環状に照明される面に結像されてなる照明装置を示す。特別な後続した順序のすれすれ入射形の鏡によって、環状に照明された面が入射瞳に結像される。
【０００８】
US 5,581,605からは、光子放射器がハニカム・コンデンサによって多数の二次光源に分割されてなる照明装置が公知である。このことによって、均等なまたは均一な明るさがレクチル面で達成される。露光されたウエハへのレクチルの結像が、従来の縮小光学系によってなされる。照明用光路には、まさしく１つの走査される鏡が、同じに湾曲された素子を有する。
【０００９】
US 4,195,913からは、ファセットによって反射された多数の光線束が１つの面に重なるので、この面では、十分に均等なエネルギ配分が生じるように、ファセットが鏡面に設けられてなる、ファセットのある鏡要素が公知である。前記面では、フィールドは所定の形を有しない。
【００１０】
US 4,289,380は、調整可能な、ファセットのある鏡を示す。この鏡は、多数の矩形のブロックセグメントを有し、これらのブロックセグメントは互いに傾動されるので、鏡によって反射された光線束が１つの面で重なる。US 4,195,913の場合のように、フィールドがその面で如何に見えるかについては記述はされない。
【００１１】
US 4,202,605からは、冷却された六角形のファセットを有する、アクティブな、セグメント化された鏡が公知である。
【００１２】
ＥＵＶ放射源の、特にシンクロトン放射源の光を集めるためには、US 5,485,498は、平面鏡としてデザインされている多数のファセットを有し、これらのファセットは、ＥＵＶ放射源からの放射線が平行な束へ転向されるように、かように設けられていてなるコレクタ鏡（Kollektorspiegel）を提案する。
【００１３】
DE 199 03 807 A1および対応のUS 6,198,793からは、ラスタ素子を有する２つの鏡またはレンズを具備するＥＵＶ照明装置が公知である。このような装置は、二重のファセットのあるＥＵＶ照明装置とも呼ばれる。
【００１４】
DE 199 03 807 A1には、二重のファセットのあるＥＵＶ照明装置の原理的な構造が示されている。DE 199 03 807に記載の照明装置の出射瞳における明るさは、第２の鏡にラスタ要素を設けることによって、定められる。
【００１５】
二重のファセットのあるＥＵＶ照明装置は、EP-A-1026547から公知である。EP-A-1262836は、多数の鏡要素を有する反射型の光学素子を示す。多数の鏡要素は、平行になった光線を多数の個別光線へ分割しかつ偏向する。
【００１６】
EP-A-1024408は、少なくとも２つの非結像型の光学素子を有するＥＵＶ照明装置を提案する。この場合、第１の非結像型の光学素子は光源の光を集め、ＥＵＶ照明装置の出射瞳を照明するために、所定の光の分配を用いる。出射瞳は例えば環の形で存在することができる。従って、このコレクタは有限遠では光源の像を作らない。
【００１７】
第２の非結像型の光学素子は光源の光を受け取る。この光は、光が実質的に平面波または球面波の形で放射されるように形成された基本形を有する。この場合、第２の光学素子の基本形は、光源が、第１のおよび第２の光学素子の組合せによって、無限遠か有限遠に位置している共役の面へ結像されるように、構成されている。
【００１８】
第２の非結像型の光学素子は、EP-A-1024408に記載のように、フィールドの形成のみに用いられ、多数のファセットまたはラスタ要素を有する。これらは第２の光学素子の基本形に重なっている。その目的は、フィールド面で、均等な照明を用いるためである。これらのファセットが４ないし１０μｍ２の表面サイズで形成されていることは好ましく、ＥＵＶ照明装置の入射瞳によって確定される面の付近に設けられている。
【００１９】
以下、上記２つの非結像型の光学素子に対しては、EP-A-1024408では、更に、２つの光学素子が、この第２の非結像型の素子とフィールド面との間に設けられている。その目的は、フィールドの所望の形成を達成するためである。特に、短い波長に基づいて反射型の光学系が用いられるときには、各々の追加の光学素子は光の損失の増大を意味するので、EP-A-1024408で提案された解決策は、多数の光学構成要素の故に不都合である。
【００２０】
更に、EP-A-1024408には、環状フィールドセグメントをフィールド面に形成するためには、第２の非結像型の光学素子におけるファセットの偏向角および配列が如何に選択されるべきは全然記載されていない。
【００２１】
EP-A-1024408の他の不都合は、出射瞳において光の分配を用いるためにおよびフィールド面でフィールドを照明するために、常に２つの非結像型の光学素子、すなわち、コレクタおよびフィールド形成型の素子が必要とされることである。
【発明の開示】
【発明が解決しようとする課題】
【００２２】
本発明の課題は、従来の技術の欠点を解消することであり、特に、ＥＵＶ照明装置の構成要素の数を減らしかつ光の損失を最小限にすることが意図される。
【課題を解決するための手段】
【００２３】
発明者は、驚いたことに、多数のファセットを有する光学素子の場合に、この光学素子によってフィールド面におけるフィールドおよび照明装置の出射瞳が所定の方法で照明されるように、光学素子におけるファセットの配列および偏向角を選択することができることを認識した。
【００２４】
上記課題は、多数のファセットを有する光学素子の場合に、この光学素子によってフィールド面におけるフィールドおよび照明装置の出射瞳が所定の方法で照明されるように、光学素子におけるファセットの配列および偏向角を選択することができることによって解決される。
【００２５】
本発明の他の観点では、このような構成要素を有し、光の損失が非常に少ない照明装置が記載される。
【００２６】
本発明では、このような、ファセットのある只１つの光学構成要素を有する照明装置を記載することが可能である。光源または光源の像が様々に実質的にフィールド面に結像され、この只１つの光学素子によって照明装置の瞳も照明される。
【００２７】
フィールド面における照明されるフィールドは環状フィールドセグメントであってよい。走査型の照明装置の場合、環状フィールドセグメントの中央における径方向が、照明装置の走査方向を定める。
【００２８】
本発明に係わる光学素子を有する照明装置の場合、環状フィールドの形成は、光学素子自体によってもなされることができる。
【００２９】
このような場合、フィールド形成型の光学構成要素を省略することができる。
【００３０】
環状フィールドセグメントの照明は、フィールド形成型の光学素子によってもなされることができる。この場合、ファセットのある光学素子は簡単な構造を有する。光の損失を防止するためには、フィールド形成のために、すれすれ入射形の鏡を用いることは好ましい。すれすれ入射形の鏡の場合、面に対する垂線に対する十分に大きな入射角がなければならない。入射角は６０°よりも大きく、好ましくは７０°よりも大きく調整される。更に、ファセットのある光学素子を照明装置の出射瞳へ結像する結像光学系が設けられていてもよい。
【００３１】
追加の光学構成要素、例えばフィールド形成型のおよび／または結像型の光学素子の、照明装置での使用または省略は、本発明に係わる、ファセットのある光学素子の配列および偏向角にのみ作用する。それ故に、このような素子の使用によって、ＥＵＶ照明装置が非常に柔軟に構成されることができる。
【００３２】
本発明に係わる照明装置がクリティカルな照明装置として形成されていることは好ましい。クリティカルな照明装置は、光源または光源の像を実質的にフィールドを結像する照明装置を意味する。このことから出発して、以下に記述するように、本発明に係わる光学素子におけるファセットの配列および偏向角を、好ましくは格子ネット変換によって定める。
【００３３】
格子ネット変換の際には、まず、フィールド点の一部である各々の瞳が、ネット格子によって表わされる。照明装置のフィールド面に結像される光源の像の延在に対応して、およびテレセントリの誤差の要求を考慮して、若干数の離散的なフィールド点が選択される。これらのフィールド点によって、フィールド面のフィールドセグメントに、十分に均等な照明強度が達成される。次に、瞳のネット格子は、各々のフィールド点によって、光学素子の面へ逆方向に辿られる。それ故に、光学素子の面にファセットネットが生じる。光学素子の面には、変換ネットがデザインされる。変換ネットに関しては、１つのセル当たり同じ照射強度という周辺条件が満たされる。次に、ファセットネットが変換ネット上に置かれ、双方のネットは、変換ネットがデカルト座標の、すなわち等距離かつ直角のネットになるように、変換される。変換されたファセットネットの各々の格子点の回りに、１つのファセットが形成される。ファセットの大きさは、次の格子点からの最大限許される間隔によって定められる。以下に、ファセットネットが変換ネット上で再度逆変換される。次に、最後に得られたファセットネットでは、個々のファセットの傾斜角は、割り当てられたフィールド点によって定められる。改善された実施の形態では、最小限の光の損失を達成するために、瞳およびフィールドにおけるネット点の最適化がなされることが提案されていることができる。
【００３４】
前述のように、非結像型の光学素子を有する照明装置は、本発明では、EP-A-1024408の形の従来技術に比較して、光の損失の少なさを特徴とする。
【００３５】
EP-A-1024408から公知の照明装置とは逆に、本発明に係わる照明装置は,只１つの、ファセットのある光学素子を有する。この光学素子は、フィールド面におけるフィールドおよび出射瞳を、所定の形に、例えば円形に、四極子形にまたは環状に照明する。このような、ファセットのある光学素子の場合、光学素子におけるファセットは、フィールド面におけるフィールドおよび出射瞳が所定の形に照明されるような配列およびそのような偏向角を有する。
【００３６】
このような素子は鏡面反射器とも呼ばれる。この素子は、入射波が、反射器の所定の個所で、所定の角度でのみ反射されることを特徴とする。鏡面反射器の、例えば、照明装置の入射瞳の面への位置の確定は不必要である。それ故に、本発明に係わる照明装置の構造空間に関しては、何等の制約も存在しない。
【００３７】
本発明に係わる鏡面反射器が、クリティカルな照明装置に用いられることは好ましい。光学辞典（ハインツ・ハーファーコルン編、ライプチヒ、1990年）の192頁によれば、クリティカル照明とは、光源または光源の像が、この場合ではフィールド面である物体に結像されてなる照明である。
【００３８】
特に好ましい実施の形態では、光学素子におけるファセットは、六角形の装置を有する。
【００３９】
光学素子とフィールド面との間の光路では、１つまたは複数のフィールド形成型の光学素子は、結像作用を有することができる。絞りが用いられるように、環状フィールドセグメントの中間像を形成しつつ、複数の光学素子の挿入も可能であろう。ファセットのある只１つの光学素子が、光源の像、いわゆる中間像を実質的にフィールド面に種々に結像することも可能である。光源の中間像は、例えば、コレクタユニットによって形成されることができる。コレクタユニットは光源の光を受け取り、その光を中間像に投影する。コレクタとしては、特に、すれすれ入射形のコレクタ、例えば、US-2003-0043455 A1に記載の入れ子式のコレクタが適切である。この米国公報の開示内容は、全面的に、本願に取り入れられる。
【００４０】
照明装置の種々のセッティング、例えば、照明装置の双極形の、環状のまたは四極子形のセッティングを、照明装置の出射瞳に調整するために、または種々の環状フィールドセグメントを作るために、光学素子を、交換可能に、例えば交換ドラムに形成することが提案されていることができる。その代わりに、ファセットのある個々の素子を溶暗する（ausblenden）ことは可能であるのは、例えば、四極子形のセッティングの代わりに、双極子形のセッティングを調整することが意図される場合である。逆に、双極子形のセッティングの代わりに、四極子形のセッティングを調整することができるのは、光学素子の所定のファセットを溶明させる（eingeblendet werden）ことによってである。いわゆる極性の照明セッティング、特に、双極子形のまたは四極子形の照明セッティングは特に好ましい。
【００４１】
種々の照明セッティングの調整に関しては、ドイツ特許出願第100 53 587.9号または平行的に許可された米国特許第6,658,084号を参照されたい。２つの公報の開示内容は、全面的に、本願に取り入れられる。
【００４２】
光源の不均等な照明強度を補償するために、光学素子の個々のファセットに、屈折力を備えることは、特に好都合である。かようにして、照明装置の出射瞳には、ほぼ同じ大きさで照明される点を得ることができる。このような装置の場合、フィールド面では、クリティカル照明のぼやけが得られる。しかし、このことは、フィールド領域が焦点ぼけせず、性能が失われない限りは、取るに足りない。
【００４３】
個々のファセットはプラスの光学的な屈折力およびマイナスな光学的な屈折力を有することができる。
【００４４】
非結像型の光学素子のための可能な製造法は、エッチング技術と関連したグレートン・リソグラフィまたは直接描画式リソグラフィ、端面に適当な傾斜角を有する小さな棒から鏡面反射器を組み立てること、およびグレートン・リソグラフィまたは直接描画式リソグラフィによって製造された母型（Grundmuster）の亜鉛メッキ成形である。
【発明を実施するための最良の形態】
【００４５】
以下、図面を参照して、本発明の実施の形態を説明する。本発明に係わる光学素子によって、フィールド面で集束される束を、フィールド面で環状フィールドセグメントが形成されるのみならず、例えば環状フィールドセグメントの所定のフィールド点から見て、例えば照明装置の瞳が、所定の形に、例えば環状にまたは四極子形に照明されるように、偏向することが意図される。
【００４６】
この目的のために、一定量の入射光が、照明装置のフィールドのフィールト点に属する、照明装置の瞳へ導かれる。このことは、例えば小さな平面ファセットによってなされることができる。この場合、これらの平面ファセットは、フィールドがフィールド面で均等に照明され、および、各々のフィールド点に対して、均等に満たされた瞳が形成され、すなわち、瞳が、離散的であるが適切に分配された「複数の点」で満たされるように、設けられている。図１には、鏡面反射器の原理とも呼ばれる、同心の瞳に関する原理、すなわち、瞳の位置が、環状フィールドセグメント３のみのフィールドのすべてのフィールド点に対し同一である、という原理が示されている。
【００４７】
瞳１は、環状フィールドセグメント３の離散的な点によって、例えば面５へ逆方向に投影される。間に設けられた光学素子、例えば、フィールド形成型の鏡なしに、フィールド５に、腎臓状の照明が生じる。この照明は、環状フィールドの形状に実質的に対応する。照明の領域では、面５に、複数の小さなファセット鏡が、環状フィールドセグメント３における離散的な点のみならず割り当てられた瞳１も均等に照明するように、設けられている。
【００４８】
更に、図１には、ｘ−ｙ座標系が示されている。環状フィールド用スキャナでは、ｙ方向が走査方向であり、ｘ方向が走査方向に対し垂直方向にある。
【００４９】
図２には、任意の入射瞳のための鏡面反射器の原理、すなわち、瞳の位置１．１，１．２が同心でなく、フィールドに依存することが示されている。面５には、逆方向に投影された瞳の異なった重なりがのみが生じる。
【００５０】
ｘ方向およびｙ方向を有するデカルト座標系を示す図３には、照明装置のフィールド面に環状フィールドセグメント３が示されている。参照符号1０は環状フィールドセグメントの中央にあるフィールド点を表わし、参照符号１２は環状フィールドセグメントの縁部にあるフィールド点を表わす。ｙ方向は、環状フィールド用スキャナの場合、照明装置の走査方向である。ｘ方向は、走査方向に対し垂直方向に位置する方向である。ｘ方向において環状フィールドセグメント１０の中央にあるフィールド点からの距離は、フィールド高ｘと呼ばれる。
【００５１】
従来の光源の像が延びているので、すなわち、非結像型の光学素子が、どの個所においても、所定の角度の拡がりをもって照明されるので、有限に多くの離散的なフィールド点の選択への制約がある場合でさえも、フィールド面での均等な照明を達成することができる。
【００５２】
ファセットの配列およびファセットの偏向角を、格子ネット変換法によって測定することができる。
【００５３】
格子ネット変換法では、フィールド点の一部である各々の瞳は、所定のネット格子によって表わされる。ネット格子は、所望のセッティングに応じて選択される。セッティングは、例えば四極子形のまたは環状のセッティングであってもよい。図４には、円形に照明される瞳１に関するこのようなネット格子２０が示されている。格子２０は大きさの同じのセル２２を有する。セルの同じ大きさは同じ出力密度すなわち放射照度を意味する。
【００５４】
照明装置の、ここに図示しない光源、すなわちクリティカル照明の場合にフィールド面に結像される光源の像の延びによって、および出射瞳でのテレセントリ（Telezentrie）への要求を考慮して、若干数の離散的なフィールド点が選択される。これらのフィールド点によって、瞳への均等な明るさが達成される。
【００５５】
図５には、フィールド点が、環状フィールドセグメント３が形成されるフィールド面における多数の光源像２４によって、示されている。
【００５６】
瞳のネット格子２０は、フィールド面における各々のフィールド点２４および有り得る光学構成要素、例えば、フィールド形成型のまたは結像型の光学構成要素によって、本発明に係わる、ファセットのあるまたは鏡面の反射器の面へ逆方向に辿られる。そこには、重なりによって、複雑なネットが生じる。このネットには、種々の接続点が、種々のフィールド点に割り当てられている。このネットはファセットネット２６とも呼ばれる。このようなファセットネット２６は、図６に示されている。
【００５７】
鏡面反射器には、変換ネットがデザインされる。この場合、１つのセル当たり同じ照射強度という周辺条件が満たされる。ファセットネット２６は変換ネット上に置かれ、双方のネットは、変換ネットがデカルト座標になる、すなわち等距離かつ直角になるように、変換される。
【００５８】
変換されたファセットネットの各々の格子点の回りに、１つのファセットが形成される。次に、ファセットネットが変換ネットに逆変換される。次に、大きさおよび位置の異なったファセットが結果として生じる。ファセットの傾斜角は、割り当てられたフィールド点によって定められている。傾斜角は、例えば光源の中心からの、入射光線が、割り当てられたフィールド点の方向に導かれるように、調整される。
【００５９】
存在しているギャップでは、使用不可能な入射光線が、ファセットの所定の他の角度によって、使用されない光線成分（Strahlensumpf）へ送られ、すなわち、ファセットが付けられていない。
【００６０】
この場合、フィールド点へ光を導く多数のファセットによって、所望の形の完全に照明された出射瞳が調整される必要は必ずしもない。走査式の露光の際に、すなわち、レチクルマスクおよびウエハが、露光中に、ｙ方向にまたはそれと反対方向に同期式に移動されるとき、所定のフィールド高ｘに亘る走査積分後に、出射瞳への所望の照明が調整されるだけで、むしろ十分である。従って、各々のファセットの傾斜角は、多数のファセットが、夫々、例えば、照明されるフィールド内の、他のフィールド点を、走査路に沿って、ｙ方向に照明するので、走査積分後にはじめて、完全に照明された出射瞳が調整されるように、調整されることができる。
【００６１】
図７には、１つのセル当たり同じ照射強度という周辺条件下で例えば生じる変換された変換ネット２７が、結像型のまたはフィールド形成型の追加の構成要素なしに、示されている。個々の傾斜角によって、夫々、多数の離散的なフィールド点および瞳の割り当てられた位置を照明する、多数の矩形のファセットが示されている。図７には、鏡面反射器に逆方向に投影されたフィールド点２９が明示されている。一目瞭然のために、照明されたフィールドの輪郭が、変換された変換ネット２７に略示されている。図７には、更に、逆方向に投影されたこれらのフィールド点２９の１が強調されている。その目的は、このフィールド点に割り当てられた、ここでは黒く裏張りされているファセット３１を例示することができるためである。
【００６２】
他の段階では、瞳におけるネット点の最適化を、例えば、フィールド点を異なって選択することにより、走査方向における均一性を考慮しつつ、フィールド点に依存して瞳およびフィールドにネットを構成することによって、行なうことができる。それ故に、使用されない光線成分では、最小限の光の損失が調整される。
【００６３】
走査方向で均一性をデザインするために、図３に示した環状フィールドセグメントの形の、フィールド面での照明を出発点とする。示された環状フィールドセグメントには、ｘ，ｙ座標系が示されており、走査方向は、座標系のｙ方向に平行に延びている。走査方向に垂直な方向ｘに依存する走査エネルギ（ＳＥ）は、以下のように、計算される。
【００６４】
ＳＥ（ｘ）＝∫Ｅ（ｘ，ｙ）ｄｙ
但し、ｘおよびｙに依存するＥは、ｘ，ｙのフィールド面における強度分布である。均等な露光を得ようとするとき、走査エネルギがｘ位置に十分に独立していることは、好都合である。従って、走査方向における均一性は以下のように定義されている。
【００６５】
均一性［％］＝１００％＊（ＳＥｍａｘ−ＳＥｍｉｎ）／（ＳＥｍａｘ＋ＳＥｍｉｎ）
この場合、ＳＥｍａｘは照明されたフィールド領域において最大限に発生する走査エネルギであり、ＳＥｍｉｎは照明されたフィールド領域において最小限に発生する走査エネルギである。
【００６６】
照明装置の出射瞳の改善された明るさのためには、追加的に、鏡面反射器のファセットパラメータを、走査方向に延びている直線上に位置している、フィールド面におけるすべての点の、その照明成分の各々の積分のために、出射瞳の、同一の、積分された部分照明が結果として生じるように、調整することができる。
【００６７】
ファセットの偏向角および配列が上記のように選択されてなる本発明に係わる光学素子または鏡面反射器によって、僅かな、極端な場合には只１つの光学構成要素でのみ作動する照明装置を構成することができる。反射による損失がＥＵＶ放射線の場合に著しいので、このような照明装置は特に好都合である。以下、例として、本発明に係わる光学素子を有する照明装置を詳述しよう。
【００６８】
図８には、本発明に係わる第1の照明装置が示されている。この照明装置では、照明装置が、只１つの光学構成要素、すなわち、本発明に係わる、ファセットのある光学素子および同時に光源１０２の光用のコレクタとして作用する鏡面反射器１００を有する。
【００６９】
只1つの鏡を有する照明装置の鏡面反射器１００は、ほぼ腎臓の形を有し、フィールド面１０８への光源１０２の投影、環状フィールドの形成および瞳１０６への照明を行なう。傾斜角の計算およびファセットの配列は、再度、格子ネットの変換によってなされる。図８に示した鏡面反射器１００は、例えば数１０００の個々のファセットを有する。瞳の位置は、投影装置内で、後続の投影対物レンズの光学軸ＨＡと、光線束の、質量中心の光（Schwerstrahl）との交点によって定められることができ、照明されるフィールドのフィールド点、例えば中心のフィールド点（０，０）が形成される。この場合、質量中心の光は、１つのフィールド点を通るすべての照明光に亘ってのエネルギ平均値である。図８に記載の投影露光装置の場合、照明装置の出射瞳１０６は、投影対物レンズの入射瞳と一致する。
【００７０】
瞳１０６で明るさを形成するために、鏡面反射器１００の個々のファセットに、屈折力を備えることは必要かも知れない。例えば、光源による照度が縁部へと減少するとき、そこでは、ファセットが大きくならねばならないのは、相応に多くの光を集めるためである。そのとき、出射瞳１０６では、同じ大きさで照明される点が再度得られるように、ファセットに僅かな屈折力を備えることは可能である。このことによって、フィールド面では、クリティカル照明のぼやけが得られる。しかし、このことは、フィールド領域が焦点ぼけせず、性能が失われない限りは、取るに足りない。
【００７１】
図９には、図８の照明装置を有する投影露光装置が示されている。
【００７２】
図９に示した投影露光装置の場合、図８に示した照明装置の出射瞳１０６は、後続の投影露光対物レンズ１１２の入射瞳と一致する。後続の投影対物レンズ１１２は、例えばUS 6, 353,470に開示されたように、複数の鏡１１４．１，１１４．２，１１４．３，１１４．４，１１４．５および１１４．６を有する６つの鏡付き投影対物レンズである。この米国公報の開示内容は、全面的に、本願に取り入れられる。投影装置の光学軸は参照符号ＨＡを有する。６つの鏡付き投影対物レンズの代わりに、結像装置、例えば６つよりも多い鏡を有し、フィールド面に設けられたマスクを感光性の物体に投影する投影対物レンズも考えられる。ここには、US-2002-0154395 A1に記載のように、８つの鏡付き投影対物レンズが、例としてのみ示される。この公報の開示内容は、全面的に、本願に取り入れられる。図８に示した照明装置および８つの鏡付き投影対物レンズを有する投影露光装置の場合、高いライトパワーおよび良好な結像の質を有する。投影対物レンズ１１２は、フィールド面１０８に設けられておりかつレチクルとも呼ばれるマスクを、感光性の物体、例えばウエハが設けられてなる像平面１１６へ投影する。マスクおよび感光性の物体は、フィールド面または像平面に、例えば、走査方向に移動可能であるいわゆる走査テーブルに可動に設けられていることができる。
【００７３】
腎臓状にデザインされる鏡面反射器１００は、幾何学的な光の損失を有する。しかし、光の損失は、複数の鏡を有する照明装置と比較して僅かである。複数の鏡を有する照明装置の場合、非常に高い反射損失が生じる。例えば、複数の垂直入射形の鏡は、１つの鏡につき、７０％より少ない反射率を有する。図８に示した照明装置における、腎臓状にデザインされる反射器は、形の点では、実質的に、フィールド面における照明される環状フィールドセグメントに対応する。
【００７４】
図１０には、他の実施の形態では、フィールド形成型の素子１１０を有する鏡面反射器１００を具備する照明装置が示されている。図８と同一の部材は、同一の参照符号を有する。
【００７５】
鏡面反射器１００は、この実施の形態では、矩形のフィールドのためにデザインされている。環状フィールドの形成は、フィールド形成型の素子１１０によってなされる。この素子は、ここでは、フィールド形成型のすれすれ入射形の鏡である。環状フィールドセグメントを照明するためには、凸面状の形を有するフィールド鏡を用いることは好ましい。
【００７６】
鏡面反射器１００は、図１０に示した実施の形態では、楕円形を有する。ファセットは任意の形を有し、例えば格子ネット変換によってデザインされる。
【００７７】
図１１には、図１０に示した照明装置を有する投影露光装置が示されている。図９と同一の部材は、同一の参照符号を有する。
【００７８】
図８ないし図１０に示した実施の形態では、光をより良く集めるための鏡面反射器のファセット鏡が、湾曲した支持体にも設けられることができる。光源１０２の光は、他の変更の実施の形態では、結像型のコレクタによって集められ、追加の鏡を用いて、フィールド面１０８に投影される。実際また、光源１０２は光源の像でもある。
【００７９】
その代わりに、投影露光装置は、本発明に係わる照明装置を有してもよい。この照明装置は、フィールド形成型の素子の他に、更に、１つまたは複数の結像型の素子１０４を有することができる。このような照明装置は図１２に示されており、対応の投影露光装置は図１３に示されている。図１１と同一の部材は、同一の参照符号を有する。
【００８０】
結像作用を有する素子１０４は、鏡面反射器１００の像を、照明装置の出射瞳１０６に結像する。当然ながら、複数の結像型の素子も可能である。これらの素子は、場合によっては、絞りが用いられるように、環状フィールドセグメント３の中間像を、フィールド面１０８に        。追加の結像型のまたは他の鏡の使用は、例えば、光源をより良く接近可能な構造空間に入れるために、更に光路を曲げなければならないときに、好都合である。このことは、図１３に明らかである。ここでは、光源は、図９の比較の例よりもレクチルマスクから遠くはなれている。
【００８１】
光路を曲げるための追加の鏡は、大きな構造空間を要する光源のためには、特に好都合である。
【００８２】
図１４には、鏡面反射器からは光源自体ではなく、光源の像Ｚが受け取られてなる、図１３に示した装置が示されている。光源の像Ｚは、コレクタユニット、例えば、入れ子式の（genestet）すれすれ入射形のコレクタ２００によって受け取られる。このコレクタはUS-2003-0043455 A1に示されている。この米国公報の開示内容は、全面的に、本願に取り入れられる。図１４に示した装置の鏡面反射器１００は、中間像Ｚの光を受け取り、光源の像Ｚを、照明装置のフィールド面に結像する。
【００８３】
図１４に示した照明装置は、照明装置の他の構成要素の点で、図１３に示した照明装置に対応する。図１３の照明装置と同一の構成部材は同一の参照符号を有する。
【００８４】
図１５には、図１４に示した照明装置が示されている。この照明装置では、６つの鏡１１４．１，１１４．２，１１４．３，１１４．４，１１４．５，１１４．６を有する６つの鏡付き投影対物レンズ１１２の代わりに、８つの鏡付き投影対物レンズが投影対物レンズとして用いられる。この８つの鏡付き投影対物レンズは、例えばUS-2002-0154395 A1に示されている。この米国公報の開示内容は、全面的に、本願に取り入れられる。８つの鏡付き投影対物レンズ２１２は、８つの鏡２１４．１，２１４．２，２１４．３，２１４．４，２１４．５，２１４．６，２１４．７，２１４．８を有する。
【００８５】
更に、８つの鏡付き投影対物レンズの光学軸ＨＡが示されている。
【００８６】
図９ないし１５に示されたすべての装置では、投影対物レンズの光学軸ＨＡが示されている。投影露光装置の入射瞳と一致する、照明装置の出射瞳は、種々のフィールド点への、質量中心の光と、光学軸ＨＡとの交点として定められている。このことは、特に、図８および１０に明瞭に認められる。出射瞳は、図では、参照符号１０６を有する。当然ながら、当業者にとっては、発明的活動をすることなく、実の瞳の代わりに仮想の瞳を設けることは可能であるだろう。この場合、レクチルにおける主光線角度はマイナスである。このような装置はWO2004/010224に示されている。WO2004/010224の開示内容は、全面的に、本願に取り入れられる。
【００８７】
以下、本発明に係わる、ファセットのある光学素子の、その具体的な実施の形態を説明する。
【００８８】
テレセントリヘの要求が１ｍｒａｄであり、および、フィールド面と出射瞳との間の、質量中心の光の長さとして定義されている、入射瞳のバックフォーカスが約１ｍであるとき、フィールド面１０８における光源の複数の像の、＜２ｍｍという理想的な間隔が生じる。この場合、２つの選択された目標点の間のフィールド面１０８におけるフィールドに一点を有する出射瞳１０６でのテレセントリの誤差（Telezentriefehler）は１ｍｒａｄよりも下である。ファセットのある光学素子１００では、５０よりも多い目標点が必要である。
【００８９】
光源の像がかなり大きくデザインされるとき、複数の目標点の間のフィールド点には、常に、瞳からの光が見える。この瞳には、少なくとも２つの目標点が割り当てられている。この場合、テレセントリは、目標点が僅かで、例えば３０の目標点でも満たされる。図１６の（Ａ）および（Ｂ）には、本発明に係わる、ファセットのある光学素子の部分図に関して、六角形のファセットを有する光学素子が示されている。
【００９０】
図１６の（Ａ）には、六角形のファセット１３０を有する、ファセットのある光学素子が例示されている。参照符号１３２はファセットのある光学素子の部分を表わしている。（Ｂ）に示すように、ファセットのある光学素子全体は、フィールド点に割り当てられた少なくとも３０の個々のファセットを有する類似のセルからなる。
【００９１】
瞳のために５０より多い点がデザインされるとき、約２０００ないし５０００のファセットを有する非結像型の光学素子は必要ない。鏡の直径が２５０ｍｍである場合、約５×５ｍｍ２のファセットの寸法、従って全く肉眼で見える素子の寸法が生まれる。
【００９２】
本願に記載された鏡面反射器１００を製造する製造法としては、以下の方法が考慮される。
【００９３】
−エッチング技術（ＲＩＥ）と関連したグレートン・リソグラフィまたは直接描画式リソグラフィ
−端面に適当な傾斜角を有する小さな棒から鏡面反射器を組み立てること
−上記方法で製造されたマスターの亜鉛メッキ成形（ＧＡ）
本発明によって、第１に、光学素子におけるファセットの配列およびファセットの偏向角の種類によって、フィールド面および同時に出射瞳が照明されてなる光学素子を記載する。
【００９４】
更に、本発明は、照明装置が、ファセットのある光学素子のみを有することを特徴とする照明装置を用いる。
【図面の簡単な説明】
【００９５】
【図１】同心の瞳のための鏡面反射器の原理を示す。
【図２】非同心の瞳のための鏡面反射器の原理を示す。
【図３】照明装置のフィールド面における環状のフィールドを示す。
【図４】フィールド点のための瞳ネットを示す。
【図５】照明された環状フィールドセグメントおよびその中に設けられたフィールド点を示す。
【図６】非結像型の光学素子の面におけるファセットネットを示す。
【図７】均一な照明を基にして生じるファセットネットを示す。
【図８】只１つの光学構成要素としての鏡面反射器を有する照明装置を示す。
【図９】図８に示す照明装置を有する投影露光装置を示す。
【図１０】鏡面反射器およびフィールド形成型の素子を有する照明装置を示す。
【図１１】図１０に示す照明装置を有する投影露光装置を示す。
【図１２】鏡面反射器および結像型の素子を有する照明装置を示す。
【図１３】結像型の鏡およびフィールド形成型の鏡を有する照明装置を具備する投影露光装置を示す。
【図１４】すれすれ入射形のコレクタを有する、図１３に同じの投影露光装置を示す。
【図１５】８つの鏡付き投影対物レンズを有する、図１１に同じの投影露光装置を示す。
【図１６】（Ａ）は、鏡にファセットを六角形に設けた鏡面反射器を示し、（Ｂ）は、（Ａ）に示すファセット鏡の部分図を示す。
【符号の説明】
【００９６】
１  瞳
１．１  瞳の異なった位置
１．２  瞳の異なった位置
３  環状フィールドセグメント
５  ファセットのある光学素子の面
１０  環状フィールドセグメント３の中央のフィールド点
１２  環状フィールドセグメント３の縁部のフィールド点
２０  ネット格子
２２  ネット格子のセル
２４  フィールド面におけるフィールド点
２６  ファセットネット
２７  変換された変換ネット
２９  鏡面反射器に逆方向に投影されるフィールド点
３１  ファセットのある光学素子の、割り当てられたファセット
１００  ファセットのある光学素子
１０２  光源
１０４  結像型光学系
１０６  照明装置の出射瞳
１０７  質量中心の光
１０８  フィールド面
１１０  フィールド形成型の光学素子
１１２  投影対物レンズ
１１４．１  ６つの鏡付き投影対物レンズの鏡
１１４．２  ６つの鏡付き投影対物レンズの鏡
１１４．３  ６つの鏡付き投影対物レンズの鏡
１１４．４  ６つの鏡付き投影対物レンズの鏡
１１４．５  ６つの鏡付き投影対物レンズの鏡
１１４．６  ６つの鏡付き投影対物レンズの鏡
１１６  像平面
１３０  六角形のファセット
１３２  ファセットのある光学素子の部分
２００  入れ子式のコレクタ
２１２  ８つの鏡付き投影対物レンズ
２１４．１  ８つの鏡付き投影対物レンズの鏡
２１４．２  ８つの鏡付き投影対物レンズの鏡
２１４．３  ８つの鏡付き投影対物レンズの鏡
２１４．４  ８つの鏡付き投影対物レンズの鏡
２１４．５  ８つの鏡付き投影対物レンズの鏡
２１４．６  ８つの鏡付き投影対物レンズの鏡
２１４．７  ８つの鏡付き投影対物レンズの鏡
２１４．８  ６つの鏡付き投影対物レンズの鏡
ｘ方向  フィールド面における走査方向に対し垂直の方向
ｙ方向  フィールド面における走査方向での方向
【図１】
2006523944.tif 000003
【図２】
2006523944.tif 000004
【図３】
2006523944.tif 000005
【図４】
2006523944.tif 000006
【図５】
2006523944.tif 000007
【図６】
2006523944.tif 000008
【図７】
2006523944.tif 000009
【図８】
2006523944.tif 000010
【図９】
2006523944.tif 000011
【図１０】
2006523944.tif 000012
【図１１】
2006523944.tif 000013
【図１２】
2006523944.tif 000014
【図１３】
2006523944.tif 000015
【図１４】
2006523944.tif 000016
【図１５】
2006523944.tif 000017
【図１６】
2006523944.tif 000018
【手続補正書】
【提出日】平成18年1月20日(2006.1.20)
【手続補正１】
【補正対象書類名】特許請求の範囲
【補正対象項目名】全文
【補正方法】変更
【補正の内容】
【特許請求の範囲】
【請求項１】
１９３ｎｍ以下の波長を有する照明装置のための光学素子（１００）であって、前記照明装置は、光源（１０２）と、フィールド面（１０８）と、出射瞳（１０６）とを有してなる光学素子において、
この光学素子（１００）は、多数のファセットを有し、これらファセットは、各ファセットが、前記光源（１０２）から光を受け取り、光をフィールド面（２４）における割り当てられた離散的な点に導くよう偏向角を有して設けられており、前記離散的な点は、前記フィールド面（１０８）におけるフィールドが所定の形で照明されるように、選択されていること、および各々のファセットは、前記フィールド面（２４）における夫々に割り当てられた離散的な点によって、前記照明装置の前記出射瞳（１０６）の割り当てられた領域を照明することを特徴とする光学素子（１００）。
【請求項２】
前記多数のファセットは、フィールド点から走査方向における路に沿って結果的に生じる、前記出射瞳（１０６）の積分された照明が、十分に均一であるように、偏向角およびかような大きさを有して、設けられていることを特徴とする請求項１に記載の光学素子（１００）。
【請求項３】
フィールド点から走査方向における任意の路に沿って結果的に生じる、前記出射瞳（１０６）の積分された照明は、好ましくは円形または双極子形または四極子形または環状であることを特徴とする請求項２に記載の光学素子（１００）。
【請求項４】
前記フィールド面（１０８）における前記フィールドは、環状フィールドセグメントであり、前記環状フィールドセグメントの中央における径方向は、前記照明装置の走査方向を定めることを特徴とする請求項１ないし３のいずれか１に記載の光学素子（１００）。
【請求項５】
走査方向に延びている直線上に位置している、前記フィールド面におけるすべての点の、その照明成分の各々の積分によって、前記出射瞳（１０６）の、同一の、積分された部分照明が結果として生じることを特徴とする請求項４に記載の光学素子（１００）。
【請求項６】
前記光学素子（１００）は、多数の光源の像によって作られ、これらの光源の像を前記フィールド面（１０８）に結像させることを特徴とする請求項１ないし５のいずれか１に記載の光学素子（１００）。
【請求項７】
前記光源（１０２）から前記光学素子（１００）への光路は、他の光学素子を有しないことを特徴とする請求項１ないし６のいずれか１に記載の光学素子（１００）。
【請求項８】
前記ファセットの前記偏向角は、集光作用を発生させるように設定されていることを特徴とする請求項１ないし７のいずれか１に記載の光学素子（１００）。
【請求項９】
少なくとも１つのファセットが、光学的な屈折力を有することを特徴とする請求項１ないし７のいずれか１に記載の光学素子（１００）。
【請求項１０】
前記光学素子の少なくとも１つのファセットは、平面ファセットであることを特徴とする請求項１ないし８のいずれか１に記載の光学素子（１００）。
【請求項１１】
光源（１０２）と、フィールド面（１０８）と、光学素子（１００）と、出射瞳（１０６）とを有する、特にＥＵＶリソグラフィのための、１９３ｎｍ以下の波長のための照明装置において、
前記光学素子（１００）は、多数のファセットを有し、これらのファセットは、各々のファセットが前記光源（１０２）から光を受け取り、光をフィールド面における離散的な点に導くような偏向角を有して設けられており、前記離散的な点は、前記フィールド面（１０８）におけるフィールドが所定の形で照明されるように、選択されていること、および各ファセットは、前記フィールド面（２４）における夫々に割り当てられた離散的な点によって、前記照明装置の前記出射瞳（１０６）の、割り当てられた領域を照明することを特徴とする照明装置。
【請求項１２】
前記多数のファセットは、フィールド点から走査方向における路に沿って結果的に生じる、前記出射瞳（１０６）の積分された照明が、十分に均一であるように偏向角およびかような大きさを有して設けられていることを特徴とする請求項１１に記載の照明装置。
【請求項１３】
フィールド点から走査方向における任意の路に沿って結果的に生じる、前記出射瞳（１０６）の積分された照明は、好ましくは円形または四極子形または環状であることを特徴とする請求項１２に記載の照明装置。
【請求項１４】
前記フィールド面（１０８）における前記フィールドは、環状フィールドセグメントであり、前記環状フィールドセグメントの中央における径方向は、前記照明装置の走査方向を定めることを特徴とする請求項１１ないし１３のいずれか１に記載の照明装置。
【請求項１５】
前記光学素子（１００）は、前記フィールド面（１０８）における前記環状フィールドセグメントを形成することを特徴とする請求項１４に記載の照明装置。
【請求項１６】
前記光学素子（１００）は多数の光源の像を作り、これらの光源の像を前記フィールド面（１０８）に結像させることを特徴とする請求項１１ないし１５のいずれか１に記載の光学素子（１００）。
【請求項１７】
前記光源（１０２）から前記光学素子（１００）への光路は、他の光学素子を有しないことを特徴とする請求項１１ないし１６のいずれか１に記載の照明装置。
【請求項１８】
前記照明装置は、更に、前記フィールド面（１０８）において前記環状フィールドセグメントを形成するためのすれすれ入射形のフィールド鏡（１１０）を有することを特徴とする請求項１１ないし１７のいずれか１に記載の照明装置。
【請求項１９】
前記すれすれ入射形のフィールド鏡（１１０）は、凸面状の形を有することを特徴とする請求項１８に記載の照明装置。
【請求項２０】
前記照明装置は、更に、前記光学要素（１００）を前記出射瞳へ結像させるための結像型の光学素子（１０４）として凹面鏡を有することを特徴とする請求項１１ないし１９のいずれか１に記載の照明装置。
【請求項２１】
走査方向に延びている直線上に位置している、前記フィールド面におけるすべての点の、その照明成分の各々の積分のために、前記出射瞳（１０６）の、同一の、積分された部分照明が結果として生じることを特徴とする請求項１１ないし２０のいずれか１に記載の照明装置。
【請求項２２】
前記光学素子は交換可能であり、この結果、照明の種々の形が前記出射瞳（１０６）において形成されることができることを特徴とする請求項１１ないし２１のいずれか１に記載の照明装置。
【請求項２３】
特にＥＵＶリソグラフィのための、１９３ｎｍ以下の波長のための照明装置であって、この照明装置は、光源からまたは光源の像からフィールド面への光路において、ファセットのある只１つの光学素子を有し、この光学素子は、前記光源またはこの光源の像を、前記照明装置のフィールド面へ結像させるのみならず、前記照明装置の瞳も照明することを特徴とする照明装置。
【請求項２４】
特にＥＵＶリソグラフィのための、１９３ｎｍ以下の波長のための照明装置であって、この照明装置は、光源からまたは光源の像からフィールド面への光路において、ファセットのある只１つの光学素子および只１つの他の鏡を有し、前記光学素子は、前記光源を、前記照明装置のフィールド面へ投影するのみならず、照明装置の瞳も照明する照明装置。
【請求項２５】
前記他の鏡は、垂直入射形の鏡であることを特徴とする請求項２４に記載の照明装置。
【請求項２６】
前記垂直入射形の鏡は、集光作用を有することを特徴とする請求項２５に記載の照明装置。
【請求項２７】
前記鏡は、すれすれ入射形の鏡であることを特徴とする請求項２４に記載の照明装置。
【請求項２８】
特にＥＵＶリソグラフィのための、１９３ｎｍ以下の波長のための照明装置であって、只１つの、ファセットのある光学素子および少なくとも１つのすれすれ入射形の鏡を有する照明装置。
【請求項２９】
更に、垂直入射形の鏡を有する請求項２８に記載の照明装置。
【請求項３０】
更に、光源の光または光源の像を受け取るためのコレクタユニットを有し、前記光源の、受け取られた光は、前記只１つの、ファセットのある光学素子を照明する、請求項２８または２９に記載の照明装置。
【請求項３１】
１９３ｎｍ以下の波長のための照明装置であって、この照明装置は、ファセットのある光学素子を有し、この光学素子は、前記照明装置の出射瞳が、他の結像型の光学素子なしに、照明されるように形成されている、照明装置。
【請求項３２】
前記ファセットのある光学素子は、１０００より多い個々のファセットを有する１つの光学素子である、請求項３１に記載の照明装置。
【請求項３３】
前記ファセットのある光学素子は、フィールド面におけるフィールドを照明し、このフィールドはフィールドの或る形状を有する１つの光学素子である、請求項３１または３２に記載の照明装置。
【請求項３４】
前記ファセットのある光学素子は、或る形状を有し、この形状は前記フィールドの前記形状と実質的に一致している１つの光学素子である、請求項３３に記載の照明装置。
【請求項３５】
前記ファセットのある光学素子は、腎臓状の形状を有する１つの光学素子である、請求項３１ないし３４のいずれか１に記載の照明装置。
【請求項３６】
前記ファセットのある光学素子は、多数のファセットを有し、各々のファセットは、多数の離散的なフィールド点および瞳の位置を照明する１つの光学素子である、請求項３１ないし３５のいずれか１に記載の照明装置。
【請求項３７】
前記ファセットのある光学素子は、多数のファセットを有し、これらファセットは、前記只１つの、ファセットのある光学素子上に、種々の大きさおよび種々の位置を有する１つの光学素子である、請求項３１ないし３６のいずれか１に記載の照明装置。
【請求項３８】
１９３ｎｍ以下の波長のための照明装置であって、この照明装置は、１０００より多い個々のファセットを有する、ファセットのある光学素子を具備する、照明装置。
【請求項３９】
１９３ｎｍ以下の波長のための照明装置であって、この照明装置は、或る形状を有する、ファセットのある光学素子を具備し、この形状は、フィールド面における照明されるフィールドの、その形状と実質的に一致している、照明装置。
【請求項４０】
１９３ｎｍ以下の波長のための照明装置であって、この照明装置は、多数のファセットを有する、ファセットのある光学素子を具備し、各々のファセットは多数の離散的なフィールド点および瞳の位置を照明する、照明装置。
【請求項４１】
マイクロリソグラフィのための、特にＥＵＶ範囲にある特に１９３ｎｍ以下の波長のための投影露光装置であって、請求項１１ないし４０のいずれか１に記載の照明装置および投影対物レンズ（１１２／２１２）を有する投影露光装置。
【請求項４２】
前記投影対物レンズは、少なくとも６つの鏡を有することを特徴とする、マイクロリソグラフィのための、特にＥＵＶリソグラフィのための、特に１９３ｎｍ以下の波長のための請求項４１に記載の投影露光装置。
【請求項４３】
前記投影対物レンズは、少なくとも８つの鏡を有することを特徴とする請求項４１または４２に記載の投影露光装置。
【請求項４４】
前記投影対物レンズの入射瞳が実像であることを特徴とする請求項４１ないし４３のいずれか１に記載の投影露光装置。
【請求項４５】
前記投影対物レンズの前記入射瞳が虚像であることを特徴とする請求項４１ないし４３のいずれか１に記載の投影露光装置。
【請求項４６】
前記照明装置は、前記投影露光装置のフィールド面を照明し、このフィールド面にはマスクが設けられており、前記投影対物レンズは、前記マスクの像を、感光性の支持体基板に投影し、この支持体基板には、感光性の物体が設けられていることを特徴とする請求項４１ないし４５のいずれか１に記載の投影露光装置。
【請求項４７】
マイクロ電子式の構成部材、特に半導体チップを、請求項４１ない４６のいずれか１に記載の投影露光装置によって製造する方法。
【国際調査報告】
2006523944.tif 000019
2006523944.tif 000020
2006523944.tif 000021
2006523944.tif 000022
2006523944.tif 000023
2006523944.tif 000024